(57)【要約】      （修正有）【課題】比較的に多いウェットティッシュを密封して保存することができ、その中のウェットティッシュを繰り返して取りだすことができるウェットティッシュ包装桶およびウェットティッシュ取り出し装置を提供する。【解決手段】ウェットティッシュを貯蔵することに用いられて開口を有する容器本体１および容器本体１の開口を封じる蓋本体２を含み、蓋本体２と容器本体１とは取り外し可能に連結し、蓋本体２に容器本体１中のウェットティッシュを取り出すための第一貫通孔２１が設置され、蓋本体２に第一貫通孔２１を動的に封じる密封材３が設けられ、第一貫通孔２１内に挟まれて設置される柔軟ゴム蓋４を含み、柔軟ゴム蓋４に容器本体１に貯蔵されるウェットティッシュを引き出すための第二貫通孔４１が設けられ、第二貫通孔４１は第一貫通孔２１に位置して容器本体１と貫通し合う。【選択図】図１
0003192002.tif 000002
【実用新案登録請求の範囲】
【請求項１】
ウェットティッシュを貯蔵することに用いられて開口を有する容器本体と該容器本体の開口を封じる蓋本体とを含み、前記蓋本体と容器本体は取り外し可能に連結され、前記蓋本体に容器本体中のウェットティッシュを取り出すための第一貫通孔が形成され、前記第一貫通孔を封じる密封材が設けられた、ウェットティッシュ包装桶であって、
第一貫通孔内と噛み合って設置される柔軟なゴムカバーを含み、前記柔軟なゴムカバーに前記容器本体に貯蔵されているウェットティッシュを引き出すための第二貫通孔が設けられ、第二貫通孔は第一貫通孔内に位置しかつ前記容器本体に貫通している、
ことを特徴とするウェットティッシュ包装桶。
【請求項２】
前記柔軟なゴムカバーは第一貫通孔と噛み合って設置される抵当部および前記抵当部に設置されるガイド部を含み、
前記抵当部は前記ガイド部の外周面より突き出、前記第二貫通孔は前記ガイド部と抵当部を順に貫通して前記容器本体と連結し、
前記第一貫通孔は前記抵当部と噛み合って接続する大孔および前記ガイド部と噛み合って接続する小孔を含み、前記容器本体、前記大孔および小孔は順に連通する、
ことを特徴とする請求項１に記載のウェットティッシュ包装桶。
【請求項３】
前記蓋本体の上面に第一くぼみ部分および第一くぼみ部分の底面より突出する突出台が設けられ、
前記第一貫通孔は前記突出台に位置し、前記密封材は前記突出台を覆うように用いられて前記第一くぼみ部分内に落下できるカバー蓋であり、前記カバー蓋と前記蓋本体は回転可能に連結される、
ことを特徴とする請求項１または請求項２に記載のウェットティッシュ包装桶。
【請求項４】
前記カバー蓋は、前記蓋本体と回転可能に連結して前記第一くぼみ部分内に落下できる平板部と、前記平板部に設けられて前記突出台の外周面と噛み合うための連結部とを含み、
前記平板部は前記連結部の外周面より突き出て形成されている、
ことを特徴とする請求項３に記載のウェットティッシュ包装桶。
【請求項５】
前記第一くぼみ部分の中に、前記カバー蓋が前記突出台をカバーした後に前記平板部を支持する支持台が少なくとも１つ設けられ、
前記支持台は前記第一くぼみ部分の底面あるいは側面壁に設置される、
ことを特徴とする請求項４に記載のウェットティッシュ包装桶。
【請求項６】
前記平板部の辺縁は、前記カバー蓋が前記突出台をカバーする時に前記第一くぼみ部の側面壁との間に指先が差し込める指先槽を形成する、
ことを特徴とする請求項４に記載のウェットティッシュ包装桶。
【請求項７】
前記容器本体の外周面上第二くぼみ部がリング状に設置され、前記第二くぼみ部の底面に沿って包装紙が貼られている、
ことを特徴とする請求項１または２に記載のウェットティッシュ包装桶。
【請求項８】
前記容器本体と蓋本体の横断面はともに円形であり、前記容器本体の外周面に雄ねじが設けられ、前記蓋本体の内表面に前記容器本体の雄ねじと螺合する雌ねじが設けられる、
ことを特徴とする請求項１または２に記載のウェットティッシュ包装桶。
【請求項９】
請求項１から８のいずれか１項に記載のウェットティッシュ包装桶と、ウェットティッシュ包装桶の容器本体に貯蔵されて第二貫通孔を介して取り出せるウェットティッシュと、を含む、
ことを特徴とするウェットティッシュ取り出し装置。
【請求項１０】
前記ウェットティッシュは順に連結して円筒状に巻き回され、隣接する二つの前記ウェットティッシュの連結箇所に切断を容易にするためのクリースラインが設置される、
ことを特徴とする請求項９に記載のウェットティッシュ取り出し装置。
【考案の詳細な説明】
【技術分野】
【０００１】
本実用新案は清潔用品に関し、特にウェットティッシュ包装桶およびウェットティッシュ取り出し装置に関する。
【背景技術】
【０００２】
ウェットティッシュは清潔用品とし、その中に定量の原液（純水＋消毒液）を含み、消毒と殺菌の役割を果たせる。人体の肌を清潔することだけでなく、精密機器表面の清潔という分野に応用することもできる。
【０００３】
ウェットティッシュは使用時その含水特性を保証すべきであり、ゆえにその中の水分が揮発するのを避けるため、通常ではウェットティッシュを密封保存しウェットティッシュの保存方法は枚ごとのウェットティッシュをある密封ウェットティッシュ袋の中に単独貯蔵し、ウェットティッシュ袋を開けた後短い時間内にその中に密封されるウェットティッシュを利用すべきで、つまり一袋一用であるが、それはウェットティッシュ袋の浪費をひきおこすことだけでなく、また多くのウェットティッシュが必要な時、ウェットティッシュの用意にも不便である。
【０００４】
現在、市場ではある密封ウェットティッシュ桶が販売され、その中で比較的に多くのウェットティッシュを保存でき、使用時まず桶の蓋上に設置される開孔を開け、該当開孔からその中のウェットティッシュを取り出し、こうすればウェットティッシュの貯蔵量を有効に増加させることができるが、ウェットティッシュ桶の密封性能を保証させるため、桶の蓋上で開設される孔の直径は比較的に小さく、また該当ウェットティッシュ桶の蓋は硬質ゴムを採用して製造されたため、ウェットティッシュを取り出す時、桶の蓋どころの開口はウェットティッシュを摩損しやすく、取り出しも不便である。
【考案の概要】
【考案が解決しようとする課題】
【０００５】
本実用新案の目的はウェットティッシュ包装桶を提供することであり、既存のウェットティッシュ保存装置がウェットティッシュを保存したり取り出したりする時の不便を解決するものである。
【課題を解決するための手段】
【０００６】
前記技術問題を解決するため、本実用新案の技術方案は以下であり、あるウェットティッシュ包装桶を提供し、ウェットティッシュを貯蔵することに用いられてかつ開口を有する容器本体および容器本体の開口を封じる蓋本体を含み、蓋本体と容器本体の間は取り外し可能に連結し、蓋本体に容器本体中のウェットティッシュを取り出すための第一貫通孔を開設され、前記蓋本体上に第一貫通孔を動的に封じる密封材が設けられ、また第一貫通孔内に挟まれて設置される柔軟なゴムカバーを含み、柔軟なゴムカバーで容器本体に貯蔵されるウェットティッシュを引き出すための第二貫通孔が設けられ、前記第二貫通孔は第一貫通孔に位置してかつ容器本体と貫通し合う。
【０００７】
具体的に、前記柔軟なゴムカバーは第一貫通孔と噛み合って設置される抵当部および前記抵当部に設置されるガイド部を含み、前記抵当部は前記ガイド部の外周面より突き出て、前記第二貫通孔は前記ガイド部および抵当部を順に貫通して前記容器本体と連結し、前記第一貫通孔は前記抵当部と噛み合って接続する大孔および前記ガイド部と噛み合って接続する小孔を含み、かつ前記容器本体、前記大孔および小孔は順に連通する。
【０００８】
好ましくは、前記蓋本体の上面に第一くぼみ部分および第一くぼみ部分の底面より突出する突出台が設けられ、前記第一貫通孔は前記突出台上に位置し、前記密封材は前記突出台を覆うように用いられてかつ前記第一くぼみ部分内に落下できるカバー蓋であり、前記カバー蓋と前記蓋本体は回転可能に連結する。
【０００９】
具体的に、前記カバー蓋は前記蓋本体と回転可能に連結してかつ前記第一くぼみ部分内に落下できる平板部および前記平板部に設けられてかつ前記突出台の外周面と噛み合うための連結部を含み、前記平板部は前記連結部の外周面より突き出る。
【００１０】
好ましくは、前記第一くぼみ部分の中に前記カバー蓋が前記突出台をカバーした後に前記平板部を支持する支持台を少なくとも一つ設置され、前記支持台は前記第一くぼみ部分の底面あるいは側面壁上に設置される。
【００１１】
好ましくは、前記平板部の辺縁は前記カバー蓋が前記突出台をカバーする時に前記第一くぼみ部の側面壁との間で指先が便利に差し込める指先槽を形成する。
【００１２】
好ましくは、前記容器本体の外周面上に第二くぼみ部をリング状に設置されて、前記第二くぼみ部の底面に沿って包装紙が貼ってある。
【００１３】
好ましくは、前記容器本体と蓋本体の横断面はともに円形であり、前記容器本体の外周面上で雄ねじが設けられ、前記蓋本体の内表面で前記容器本体雄ねじと螺合する雌ねじが設けられる。
【００１４】
本実用新案はウェットティッシュ取り出し装置を提供し、前記ウェットティッシュ包装桶および前記ウェットティッシュ包装桶の前記容器本体に貯蔵されてかつ第二貫通孔を介して取り出せる若干のウェットティッシュを含む。
【００１５】
好ましくは、前記各ウェットティッシュは順に連結してかつ円筒状に巻きつき、隣接する二つの前記ウェットティッシュの連結箇所で便利に切断できるクリースラインが設置される。
【考案の効果】
【００１６】
本実用新案は以下の技術効果がある。
【００１７】
本実用新案のウェットティッシュ包装桶の容器本体の中はウェットティッシュを保存することに用いられ、蓋本体と容器本体の間は取り外し可能に連結し、蓋本体上に第一貫通孔が設置され、密封剤で該当第一貫通孔を動的に封じ、同時に第一貫通孔内に柔軟なゴムカバーを噛み合って設置し、柔軟なゴムカバー上に第二貫通孔が設置される。ウェットティッシュ包装桶は桶形状構造であるため、比較的に多くのウェットティッシュを事前に置くことができ、容器本体は密封構造で保存する時ウェットティッシュの揮発を心配する必要がない。初回使用する時まず蓋本体と容器本体の間の連結状態を解除し、容器本体を開け、密封材が第一貫通孔に対する封止を解除し、第二貫通孔の中へウェットティッシュを導入し、それから蓋本体と容器本体を閉め、第二貫通孔から使用したいウェットティッシュを取り出し、取り出した以後第二貫通孔内で容器本体内に剰余している部分のウェットティッシュを預けておくべきで、後続使用のためである。最後、密封材で第一貫通孔を封じ、容器本体を密封にする。後続のウェットティッシュ使用過程中、まず密封材の封止を解除するだけで必要なウェットティッシュを取り出すことができ、非常に便利であり、そして第一貫通孔内に柔軟なゴムカバーが設けられるため、ウェットティッシュを取り出す過程中ウェットティッシュと柔軟なゴムカバーが摩擦を引き起こすが、摩擦力が小さく、ウェットティッシュを傷つけにくい。同時に、柔軟なゴムカバーは柔らかなゴムで調製されて変形しやすいため、ウェットティッシュの取り出しを容易にさせる。本実用新案のウェットティッシュ取り出し装置は、前記ウェットティッシュ包装桶を採用し、かつ該ウェットティッシュ包装桶の中で若干のウェットティッシュを保存し、ウェットティッシュの貯蔵を有効に保証できることだけでなく、使用時ウェットティッシュの取り出しも便利であって簡単である。
【図面の簡単な説明】
【００１８】
【図１】本実用新案実施例のウェットティッシュ包装桶の構造概要図である。
【図２】図１のウェットティッシュ包装桶の容器本体の構造概要図である。
【図３】図１のウェットティッシュ包装桶の蓋本体の第一視角から見る構造概要図である。
【図４】図１のウェットティッシュ包装桶の柔軟なゴムカバーの構造概要図である。
【図５】図１のウェットティッシュ包装桶の蓋本体の第二視角から見る構造概要図である。
【図６】図１のウェットティッシュ包装桶のカバー蓋が突出台と噛み合った後の蓋本体の構造概要図である。
【図７】ウェットティッシュ包装桶の蓋本体の断面図である。
【考案を実施するための形態】
【００１９】
本実用新案の目的、技術方案およびメリットをより明確にするため、以下は添付図面および実施例を結合し、本実用新案に対する詳しい説明を行う。ここで描く具体的な実施例は本実用新案を解釈するためであるが、本実用新案に限られるわけでないことを理解しなければならない。
【００２０】
図１-図３を参考し、本実用新案実施例は、ウェットティッシュ包装桶を提供し、ウェットティッシュ包装桶は桶形状の構造であり、開口１１を有する容器本体１および第一貫通孔２１を有する蓋本体２を含み、容器本体１は定量のウェットティッシュを貯蔵することに用いられ（図面中で標識されない）、蓋本体２と容器本体１の間は取り外し可能に連結しかつ容器本体１の開口１１を封じることに用いられ、蓋本体２の第一貫通孔２１を介して容器本体１の中に保存されるウェットティッシュを取り出すことがでる。蓋本体２上に密封材３が設けられ、密封材３で蓋本体２の第一貫通孔２１を動的に封止（オフあるいはオン）することができ、容器本体１を密封状態にさせる。好ましくは、第一貫通孔２１の中に柔軟ゴム蓋４を挟んで（噛み合って）設置し、柔軟ゴム蓋４の上に第二貫通孔４１を開設し、第二貫通孔４１から容器本体１の中に保存されるウェットティッシュを取り出すことができる。第二貫通孔４１は第一貫通孔に位置してかつ容器本体１と連通し、こうして密封材３が第一貫通孔２１を動的に封じる時、第二貫通孔４１に対しても動的な封止を形成する。本実施例中、密封材３が第一貫通孔２１を封じる時に容器本体の密封性能を保証できるため、第二貫通孔４１の孔直径を比較的に小さく設計する。包装桶は桶形状の構造であるため、容器本体１の中に比較的に多くのウェットティッシュを貯蔵でき、蓋本体２および密封材３が容器本体１の開口１１を密封し、容器本体１の中に保存されたウェットティッシュは揮発を簡単に発生せず、比較的に長い時間に保存されられる。容器本体１の中へウェットティッシュを貯蔵した後に、容器本体１を密封にし、初回使用時、まず容器本体１と蓋本体２との間の連結状態を解除し、容器本体１を開けると同時に密封材３が第一貫通孔２１に対する封止を解徐すべきで、容器本体１中のウェットティッシュを第二容器本体４１へ部分的に導入した後、蓋本体２を容器本体１の上にカバーし、第二貫通孔４１の中から必要なウェットティッシュを取り出す。通常容器本体１の中に置かれたウェットティッシュが全体に連結されるべきであり、こうすれば取り出しをした後、第二貫通孔４１の中で部分的な剰余ウェットティッシュを預けておいてあり、次回使用時、密封材３を開けることだけで第二貫通孔４１の中に預けられたウェットティッシュを取り出せ、非常に便利である。またウェットティッシュが第二貫通孔より取りだされるため、ウェットティッシュは柔軟ゴム蓋だけと摩擦を引き起こし、該摩擦力は比較的に小さく、ウェットティッシュは簡単に傷つけされず、柔軟ゴム蓋４は柔らかいゴムで調製され、たとえばシリコンなど、それ自身が変形されやすいため、ウェットティッシュを便利に取り出させる。具体的に、蓋本体２と容器本体１との間の取り外し可能な接続はネジ接続を採用し、容器本体１と蓋本体の横断面は共に円形であり、容器本体１の外周面１２の上に雄ねじ１２１が設けられ、蓋本体２の内表面２２の上に容器本体１雄ねじ１２１と螺合する雌ねじ２２１が設けられ、蓋本体２を回転させることによって蓋本体２と容器本体１との間で取り外し可能な連結を形成する。
【００２１】
図２-図７を参考し、柔軟ゴム蓋４を階段結構に設計され、具体的に柔軟ゴム蓋４は抵当部４２及び抵当部４２上に設置されるガイド部４３を含み、抵当部４２は蓋本体２と容器本体１より囲まれて形成された空間の中に位置し、ガイド部の外周面より突出する。具体的に抵当部４２とガイド部４３は一体成型で製造され、第二貫通孔４１はガイド部４３及び抵当部４２を順に貫通してかつ容器本体１と連通し、相応的に第一貫通孔２１も階段孔結構に設計される。蓋本体２を容器本体１上にカバーする時、大孔２１１は蓋本体２の内側に位置し、小孔２１２は相対的な外側に位置し、容器本体１、大孔２１１および小孔２１２三者は順に連通し、柔軟ゴム蓋４は第一貫通孔２１の中に挟まれて設置される時、柔軟ゴム蓋４の抵当部４２は第一貫通孔２１の大孔２１１と噛み合い、同時に柔軟ゴム蓋４のガイド部４３は第一貫通孔２１の小孔２１２と噛み合う。第一貫通孔２１は階段孔であるため、大孔２１１の中に頂面２１１１を一つ有し、柔軟ゴム蓋４を第一貫通孔２１に挟まれて（噛み合って）設置する時、抵当部４２の外表面４２１と大孔２１１の側面壁２１１２および頂面２１１１とはすべて噛み合う。第二貫通孔４１からウェットティッシュを取る時、ウェットティッシュと柔軟ゴム蓋４の間で摩擦力を生成し、かつウェットティッシュが柔軟ゴム蓋４に対する摩擦力の方向は第二貫通孔に沿って外側へ向き、こんな時第一貫通孔２１の大孔２１１の頂面は柔軟ゴム蓋４の抵当部４２に対して摩擦力と逆の作用力を生成し、柔軟ゴム蓋４が第一貫通孔２１の中から脱出するのを防止し、ウェットティッシュを取り出す時に柔軟ゴム蓋４の安定性を保証する。
【００２２】
図１および図６を参考し、蓋本体２の正面２３で第一くぼみ部２４を開設し、かつ第一くぼみ部２４の底部２４１の上で突出台２５が設けられ、第一貫通孔２１は該突出台２５の上に位置し、密封材３をカバー３ａのように設計され、カバー３ａと蓋本体２との間は可転に連結され、カバー３ａは第一くぼみ部２４の中に落下して突出台２５を覆うことができ、したがって第一貫通孔２１および第二貫通孔４１を封じ、密封容器本体１の役割を果たせる。カバー３ａを回転させることによって第一貫通孔２１に対する動的な封止を実現し、便利である。カバー３ａと蓋本体２とは一体構造であり、カバー３ａを簡単に遺失されず、かつカバー３ａが突出台２５を覆う時、カバー３ａは第一くぼみ部２４の中に落下し、カバー３ａの表面３ａ１と蓋本体２の正面２３は同一な平面にあり、蓋本体２の全体性に影響を与えない。カバー３ａと蓋本体２との間の回転可能な連結方法は何種類があり、回転軸（図面上では標識されず）を通してカバー３ａと蓋本体２を連結し、カバー３ａに該回転軸をめぐって回転させることもでき、または弾性パーツ３ａ２でカバー３ａと蓋本体２を連結し、外力作用で弾性パーツ３ａ２に変形させることでカバー３ａに回転させることもでき、三者は一体成型で製造されられる。
【００２３】
図５を参考し、最適を選出し、カバー３ａは平板部３ａ３及び連結部３ａ４を含み、平板部３ａ３と蓋本体２は回転できるように連結してかつ第一くぼみ部２４の中に落下でき、連結部３ａ４は平板部３ａ３の上に設置されてかつ突出台２５の外周面２５１と嵌め合うことができ、平板部３ａ３の辺縁は全部連結部３ａ４の外周面３ａ４１より突出する。平板部３ａ３を回転させ、連結部３ａ４と突出台２５の外周面２５１を嵌め合わせ、連結部３ａ４と突出台２５の接続は比較的に安定であり、外力の作用がない時、連結部３ａ４と突出台２５との間は簡単に離脱せず、こうすればウェットティッシュを貯蔵する時に容器本体の密封性能を保証できる。また平板部３ａ３の辺縁は連結部３ａ４の外周面３ａ４１より突き出て、カバー３ａの連結部３ａ４は突出台２５と嵌め合う時、平板部３ａ３と第一くぼみ部２４の底部２４１との間に一定の隙間があり、指先を平板部３ａ３と第一くぼみ部２４の底部２４１との間に差し込んで平板部３ａ３の辺縁を引くだけで、すなわちカバー３ａ連結部３ａ４と突出台２５との間の嵌め合い状態を解除でき、比較的に便利である。
【００２４】
引き続き前記実施例を最適化にし、第一くぼみ部２４の中に支持台２４２を少なくとも一つ設置し、支持台２４２の正面２４２１は蓋本体２の正面２３よりやや低く、カバー３ａの平板部３ａ３を回転させた後、支持台２４２の正面２４２は平板部３ａ３を支持し、こんな時カバー３ａの表面３ａ１と蓋本体２の正面２３が同一な平面に位置するのを保証すべきで、カバー３ａの表面３ａ１は平板部３ａ３の裏面である。連結部３ａ４と突出台２５が嵌め合う時、平板部３ａ３と第一くぼみ部２４との間に隙間があり、支持台２４２で平板部３ａ３を支持することによって平板部３ａ３の安定性を保証でき、外物が平板部３ａ３を圧着する時に平板部３ａ３が損害するのを防止する。通常支持台２４２を二個設置してかつ並行で相対的に設置し、それは第一くぼみ部２４の底部２４１あるいは側面壁２４３の上に設置されられる。
【００２５】
図５および図６を参考し、具体的に、カバー３ａを突出台２５の上にはめ合う時、その平板部３ａ３片側の辺縁と第一くぼみ部２４の側面壁２４３の間に一定の隙間があり、該隙間は指槽２４４である。指槽２４４はカバー３ａと蓋本体２との間の回転可能な連結箇所から離れるべきであり、該指槽２４４から指先を平板部３ａ３と第一くぼみ部２４の底部２４１との間に簡単に差し込んでかつ平板部３ａ３の辺縁を引いてカバー３ａと突出台２５との間の嵌め合い状態を解除でき、そして指槽２４４は平板部３ａ３の回転端から遠く離れ、指先が平板部３ａ３を引く時の作用力を減少させることができる。
【００２６】
図２を参考し、好ましくは、容器本体１の外周面１２の上に第二くぼみ部１２２をリング状に設置され、該第二くぼみ部１２２の底部１２２１の上で包装紙（図面上で標識されず）が貼ってある。第二くぼみ部１２２の底部１２２１は容器本体１の外周面１２より低く、包装紙を第二くぼみ部１２２の底部１２２１の上に貼り付ける時、包装紙も容器本体１の外周面１２よりやや低く、こうすれば包装紙が容器本体上に付着することに対する外界から妨害を減少させることができ、脱落しにくい。
【００２７】
図１を再度参考し、本実用新案実施例はまたあるウェットティッシュ取り出し装置を提供し、前記ウェットティッシュ包装桶および該ウェットティッシュ包装桶１の中に貯蔵される若干のウェットティッシュを含み、各ウェットティッシュは柔軟ゴム蓋４の第二貫通孔４１の中から取り出すことができる。本実施例中、容器本体１の中に保存される各ウェットティッシュは一体に連結し合い、まずその中のあるウェットティッシュを柔軟ゴム蓋４の第二貫通孔の中に導入し、ウェットティッシュを使用する必要がある時、すなわち第二貫通孔４１から必要なウェットティッシュを順に取ることができる。該ウェットティッシュ取り出し装置の容器本体１の密封性能が優れ、その中で比較的に多くのウェットティッシュを保存でき、ウェットティッシュを繰り返して取りだすことができ、取り出す時ウェットティッシュは単に柔軟ゴム蓋だけと摩擦し、該摩擦力が小さくてウェットティッシュを傷つけなく、柔軟ゴム蓋４の変形特性も取り出しに有利である。
【００２８】
好ましくは、容器本体１の中に置かれる各ウェットティッシュは順に連結してかつ円筒状に絡みつき、隣接する二枚のウェットティッシュの接続どころでクリースラインが設けられ（図面上で標識されず）、外力の作用で、隣接する二枚のウェットティッシュのクリースラインが切断されやすい。ウェットティッシュは順に連結してかつ円筒状に絡みつくのは容器本体１中のウェットティッシュの貯蔵枚数を有効に増加させることができ、かつ第二貫通孔４１からウェットティッシュを取り出す時、既存のウェットティッシュを取り出すと、直後隣接するウェットティッシュは第二貫通孔４１の中へ自動的に引かれ、非常に便利であり、また隣接する二枚ウェットティッシュの接続どころでクリースラインが設けられたため、外力の作用で、隣接する二枚ウェットティッシュはクリースラインに沿って切断され、引き裂けられやすく、かつウェットティッシュの切れ目は比較的に平らである。
【００２９】
以上の記載は、本発明の比較的好適な実施形態に過ぎない。本発明の保護範囲は、上記実施形態に限定されない。当該分野の一般的な技術者が本発明の開示内容から為した同等効果の修飾或いは変更は、いずれも特許請求の範囲に記載される保護範囲内に収まる。
【図１】
0003192002.tif 000003
【図２】
0003192002.tif 000004
【図３】
0003192002.tif 000005
【図４】
0003192002.tif 000006
【図５】
0003192002.tif 000007
【図６】
0003192002.tif 000008
【図７】
0003192002.tif 000009